(57)【要約】【課題】建築板の表面に化粧用粒体を強固に保持することができると共に、建築板の表面に部分的に化粧用粒体を撒布することができる建築板の化粧方法を提供する。【解決手段】回転するロール１の表面に塗料２を供給して付着させ、ロール１の表面に供給した塗料の上に化粧用粒体３を撒いた後、ロール１に接触しながら回転する転写ロール４に塗料２及び化粧用粒体３を付着させると共に、建築板６に凹凸を設けて建築板６の凸部９のみに塗料２と化粧用粒体３を建築板６に転写する。【選択図】      図１
2004223447.tif 000002
【特許請求の範囲】
【請求項１】
回転するロールの表面に塗料を供給して付着させ、ロールの表面に供給した塗料上に化粧用粒体を撒いた後、ロールに接触しながら回転する転写ロールに塗料及び化粧用粒体を付着させ、塗料と共に化粧用粒体を建築板に転写することを特徴とする建築板の化粧方法。
【請求項２】
ロールに凹凸を設け、凸部にのみ塗料及び化粧用粒体を付着させることを特徴とする請求項１に記載の建築板の化粧方法。
【請求項３】
ロールへの塗料の供給は、互いに接触する二個の塗料供給ロールの間に塗料を注入し、ロールに接触する一方の塗料供給ロールにより塗料を供給することを特徴とする請求項１又は２に記載の建築板の化粧方法。
【発明の詳細な説明】
【０００１】
【発明の属する技術分野】
本発明は、建築板の表面に化粧用粒体を撒布する建築板の化粧方法に関する。
【０００２】
【従来の技術】
従来より、建築板の表面に化粧用粒体として砂を撒布する場合、製造工程を流れる建築板の表面に下塗り塗装や中塗り塗装をした後、塗料が乾燥しない間に建築板の表面に砂撒き機によって砂を撒いていた。しかし、この方法では建築板の表面に均一に砂を撒くことができるが、部分的に砂を撒いたり、あるいは一部分を除いて砂を撒くことはできなかった。
【０００３】
また、砂を部分的に撒く方法としてフレキソ印刷（凸版塗装）、グラビア印刷（凹版印刷）、インクジェット塗装等によって建築板の表面を部分的に塗装した後、塗料が乾燥しない間に砂を撒いて、塗料部分にだけ砂を接着させる方法がある。しかし、塗装後に砂を撒くため、砂は自重だけで塗料の中に入り込むだけなので、入り込み量が少なく、砂と塗料との接着力が弱くなり、塗料が乾燥した後でも表面を擦ると砂が剥がれてしまうという問題がある。この場合、砂を保持するために砂を撒布した後に上塗り塗装が必要となる。（例えば、特許文献１参照）
【０００４】
【特許文献１】
特開平１０−４１８８０号公報（第１−３項、図１）
【０００５】
【発明が解決しようとする課題】
本発明は、上記の問題点を解消するためのもので、建築板の表面に化粧用粒体を強固に保持することができると共に、建築板の表面に部分的に化粧用粒体を撒布することができる建築板の化粧方法を提供するものである。
【０００６】
【課題を解決するための手段】
本発明の請求項１記載の建築板の化粧方法は、回転するロールの表面に塗料を供給して付着させ、ロールの表面に供給した塗料上に化粧用粒体を撒いた後、ロールに接触しながら回転する転写ロールに塗料及び化粧用粒体を付着させ、塗料と共に化粧用粒体を建築板に転写することを特徴とする。
【０００７】
このものにあっては、回転するロールの表面に塗料を付着させ、この塗料に化粧用粒体を撒き、更にこの塗料及び化粧用粒体を転写ロールに移して付着させてから建築板に転写するので、化粧用粒体はロール及び転写ロールによって塗料に押し込まれることにより、建築板の表面に化粧用粒体を強固に保持することができる。また、建築板に凹凸を設けると、建築板の凸部のみに転写ロールが接触するようになるので、部分的に化粧用粒体を建築板に付着させることもできる。
【０００８】
本発明の請求項２に記載の建築板の化粧方法は、請求項１に記載の建築板の化粧方法において、ロールに凹凸を設け、凸部にのみ塗料及び化粧用粒体を付着させたことを特徴とする。
【０００９】
このものにあっては、ロールに凹凸を設け、凸部にのみ塗料を付着させるので、化粧用粒体を撒布すると凸部にのみ化粧用粒体が残り、転写ロールを介して建築板の表面に部分的に化粧用粒体を付着させることができる。
【００１０】
本発明の請求項３に記載の建築板の化粧方法は、請求項１又は２に記載の建築板の化粧方法において、ロールへの塗料の供給は、互いに接触する二個の塗料供給ロールの間に塗料を注入し、ロールに接触する一方の塗料供給ロールにより塗料を供給することを特徴とする。
【００１１】
このものにあっては、互いに接触する二個の塗料供給ロールの間に、塗料の蓄積量を調整しながら塗料を注入することにより、塗料の供給量を一定に保つことができる。
【００１２】
【発明の実施の形態】
以後、本発明の実施形態を、図を用いて説明する。
【００１３】
図１又は図２は、本発明の実施形態に係る建築板の化粧方法の実施例を示すものである。
【００１４】
ロール１は筒状で、ロール１の表面には凹凸が有り、ロール１の軸１１が水平となるようにロール１を設けている。ロール１の左側の下方には同じく筒状の転写ロール４を設け、ロール１と接触する形で転写ロール４の軸１４が水平となるように転写ロール４を設けている。
【００１５】
ロール１の右側の上方には、塗料供給ロール５を二個設け、共に塗料供給ロール５の軸１５が水平となるように設けていて、一方の塗料供給ロール５ａをロール１と接触する形で設け、他方の塗料供給ロール５ｂを一方の塗料供給ロール５ａと接触する形で設け、二個の塗料供給ロール５の高さは略同じである。
【００１６】
尚、ロール１は反時計回りに回転し、転写ロール４は時計回りに回転する。また、ロール１と接する一方の塗料供給ロール５ａは時計回りに回転し、他方の塗料供給ロール５ｂは反時計回りに回転する。
【００１７】
ロール１の上方に、砂撒き機７を設け、この砂撒き機７に化粧用粒体３を入れ、砂撒き機７から下方に位置するロール１の表面に化粧用粒体３を撒くことができるようになっている。尚、化粧用粒体３として、砂、ビーズ、骨材等がある。
【００１８】
建築板６は平板で、転写ロール４の下端と接する形で左方向に流れている。
【００１９】
次に、建築板６の化粧方法について説明する。
【００２０】
まず、塗料２を互いに接触する二個の塗料供給ロール５の間に上方より注入し、
塗料２の蓄積量を調整しながら塗料２を次々と二個の塗料供給ロール５の間に注入する。
【００２１】
次に、塗料供給ロール５に供給された塗料２は、ロール１と接する一方の塗料供給ロール５ａに付着した後、ロール１の表面に付着する。ロール１の表面に塗料２を付着した後、ロール１の上方に位置する砂撒き機７より下方に撒かれた化粧用粒体３を塗料２の上に付着させる。
【００２２】
尚、ロール１には凹凸があり、凸部９にのみ塗料を付着させるので、化粧用粒体３を撒布すると凸部９にのみ化粧用粒体３が残る。一方、ロール１の凹部１０には塗料２は付着しないので、化粧用粒体３は凹部１０には付着せず、凹部１０に落下した化粧用粒体３を、転写ロール４の上方に位置する砂受け具８によって集め、再度砂撒き機７に戻して利用する。
【００２３】
最後に、塗料２に化粧用粒体３を付着させた後、塗料２及び化粧用粒体３を転写ロール４に付着させて、転写ロール４の下端に流れる建築板の表面に塗料２及び化粧用粒体３を転写する。
【００２４】
以上の説明により、回転するロール１の表面に塗料２を付着させ、この塗料２に化粧用粒体３を撒き、更にこの塗料２及び化粧用粒体３を転写ロール４に移して付着させてから建築板６に転写するので、化粧用粒体３はロール１及び転写ロール４によって塗料２に押し込まれることにより、建築板６の表面に化粧用粒体３を強固に保持することができる。
【００２５】
また、ロール１に凹凸を設け、凸部９にのみ塗料を付着させるので、化粧用粒体３を撒布すると凸部９にのみ化粧用粒体３が残り、建築板６が平板であっても、転写ロール４を介して建築板６の表面に部分的に化粧用粒体３を付着させることができる。
【００２６】
更に、互いに接触する二個の塗料供給ロール５の間に、塗料２の蓄積量を調整しながら塗料２を注入することにより、塗料２の供給量を一定に保つことができる。また、二個の塗料供給ロール５の間の距離を変化させると同時に、塗料２の供給量も変化させることにより、塗膜の厚みを調整することができると共に、化粧用粒体３の付着量も変化させることができる。
【００２７】
次に、ロール１の表面に凹凸を無くした場合の一例を説明する。
【００２８】
図３又は図４に示す通り、ロール１の表面に凹凸を無くし、平滑にした場合、ロール１の全面に塗料２を付着することができるので、ロール１の全面に化粧用粒体３も付着することとなり、砂受け具８を設ける必要がなくなる。また、この場合においては、建築板６に凹凸を設けると、建築板６の凸部２１のみに転写ロール４が接触するようになるので、部分的に化粧用粒体３を建築板６に付着させることもできる。
【００２９】
【発明の効果】
以上の説明により、本発明の請求項１記載の建築板の化粧方法によると、回転するロールの表面に塗料を付着させ、この塗料に化粧用粒体を撒き、更にこの塗料及び化粧用粒体を転写ロールに移して付着させてから建築板に転写するので、化粧用粒体はロール及び転写ロールによって塗料に押し込まれることにより、建築板の表面に化粧用粒体を強固に保持することができる。
【００３０】
本発明の請求項２に記載の建築板の化粧方法によると、ロールに凹凸を設け、凸部にのみ塗料を付着させるので、化粧用粒体を撒布すると凸部にのみ化粧用粒体が残り、転写ロールを介して建築板の表面に部分的に化粧用粒体を付着させることができる。
【００３１】
本発明の請求項３に記載の建築板の化粧方法によると、互いに接触する二個の塗料供給ロールの間に、塗料の蓄積量を調整しながら塗料を注入することにより、塗料の供給量を一定に保つことができる。
【図面の簡単な説明】
【図１】本発明の実施形態係る建築板の化粧方法の実施例を示す縦断面図である。
【図２】同上の建築板の化粧方法の実施例を示す建築板の斜視図である。
【図３】同上の建築板の化粧方法の実施例であって、他の一例を示す縦断面図である。
【図４】同上の建築板の化粧方法の実施例であって、他の一例を示す建築板の斜視図である。
【符号の説明】
１      ロール
２      塗料
３      化粧用粒体
４      転写ロール
５      塗料供給ロール
６      建築板
９      凸部
【図１】
2004223447.tif 000003
【図２】
2004223447.tif 000004
【図３】
2004223447.tif 000005
【図４】
2004223447.tif 000006